【手続補正書】
【提出日】令和1年12月11日(2019.12.11)
【手続補正１】
【補正対象書類名】特許請求の範囲
【補正対象項目名】全文
【補正方法】変更
【補正の内容】
【特許請求の範囲】
【請求項１】
伝送レート制御方法であって、
二次基地局によってマスタ基地局から第２ユーザ装置集約最大ビットレート（ＵＥ−ＡＭＢＲ）及び前記二次基地局のベアラタイプを受信し、前記第２ＵＥ−ＡＭＢＲは、コアネットワークから受信されたＵＥ−ＡＭＢＲに従って決定される、ことと、
前記二次基地局によって前記第２ＵＥ−ＡＭＢＲ及び前記二次基地局の前記ベアラタイプに基づいて端末伝送レートを制御することと
を有する方法。
【請求項２】
前記二次基地局の前記ベアラタイプが二次セルグループベアラのみを有する場合に、
前記二次基地局によって前記第２ＵＥ−ＡＭＢＲ及び前記二次基地局の前記ベアラタイプに基づいて端末伝送レートを制御することは、
前記二次基地局によって前記第２ＵＥ−ＡＭＢＲに基づいて前記二次基地局とＵＥとの間の伝送レートを制御することを有する、
請求項１に記載の方法。
【請求項３】
前記二次基地局の前記ベアラタイプが、前記二次基地局にアンカーされた分割ベアラのみを有する場合に、
前記二次基地局によって前記第２ＵＥ−ＡＭＢＲ及び前記二次基地局の前記ベアラタイプに基づいて端末伝送レートを制御することは、
ダウンリンク上で、前記第２ＵＥ−ＡＭＢＲに基づいて、前記二次基地局によって、該二次基地局とＵＥとの間にある、前記二次基地局にアンカーされた前記分割ベアラのダウンリンク伝送レートを制御し、且つ、前記二次基地局によって、前記マスタ基地局と前記ＵＥとの間にある、前記二次基地局にアンカーされた前記分割ベアラのダウンリンク伝送レートを制御すること、又は
アップリンク上で、前記二次基地局によって、前記第２ＵＥ−ＡＭＢＲに基づいて、前記二次基地局と前記ＵＥとの間にある、前記二次基地局にアンカーされた前記分割ベアラのアップリンク伝送レートを制御すること
を有する、
請求項１に記載の方法。
【請求項４】
前記二次基地局の前記ベアラタイプが、二次セルグループベアラと、前記二次基地局にアンカーされた分割ベアラとを有する場合に、
前記二次基地局によって前記第２ＵＥ−ＡＭＢＲ及び前記二次基地局の前記ベアラタイプに基づいて端末伝送レートを制御することは、
ダウンリンク上で、前記第２ＵＥ−ＡＭＢＲに基づいて、前記二次基地局によって、該二次基地局とＵＥとの間にある、前記二次セルグループベアラ及び前記二次基地局にアンカーされた前記分割ベアラのダウンリンク伝送レートを制御し、且つ、前記二次基地局によって、前記マスタ基地局と前記ＵＥとの間にある、前記二次基地局にアンカーされた前記分割ベアラのダウンリンク伝送レートを制御すること、又は
アップリンク上で、前記二次基地局によって、前記第２ＵＥ−ＡＭＢＲに基づいて、前記二次基地局と前記ＵＥとの間にある、前記二次セルグループベアラ及び前記二次基地局にアンカーされた前記分割ベアラのアップリンク伝送レートを制御すること
を有する、
請求項１に記載の方法。
【請求項５】
伝送レート制御方法であって、
マスタ基地局によって、ユーザ装置集約最大ビットレート（ＵＥ−ＡＭＢＲ）を取得することと、
前記マスタ基地局によって、二次基地局のベアラタイプを決定し、前記ＵＥ−ＡＭＢＲに基づいて、前記二次基地局のために使用される第２ＵＥ−ＡＭＢＲを決定し、該第２ＵＥ−ＡＭＢＲは、前記二次基地局によって、該二次基地局の前記ベアラタイプに基づいて端末伝送レートを制御するために使用される、ことと、
前記マスタ基地局によって、前記第２ＵＥ−ＡＭＢＲ及び前記二次基地局の前記ベアラタイプを前記二次基地局へ送信することと
を有する方法。
【請求項６】
前記二次基地局の前記ベアラタイプが二次セルグループベアラのみを有する場合に、
前記第２ＵＥ−ＡＭＢＲが、前記二次基地局によって、該二次基地局の前記ベアラタイプに基づいて端末伝送レートを制御するために使用されることは、
前記第２ＵＥ−ＡＭＢＲが、前記二次基地局によって、前記第２ＵＥ−ＡＭＢＲに基づいて前記二次基地局とＵＥとの間の伝送レートを制御するために使用されることを有する、
請求項５に記載の方法。
【請求項７】
前記二次基地局の前記ベアラタイプが前記二次基地局にアンカーされた分割ベアラのみを有する場合に、
前記第２ＵＥ−ＡＭＢＲが、前記二次基地局によって、該二次基地局の前記ベアラタイプに基づいて端末伝送レートを制御するために使用されることは、
ダウンリンク上で、前記第２ＵＥ−ＡＭＢＲが、前記二次基地局によって、該二次基地局とＵＥとの間にある、前記二次基地局にアンカーされた前記分割ベアラのダウンリンク伝送レートを制御し、且つ、前記マスタ基地局と前記ＵＥとの間にある、前記二次基地局にアンカーされた前記分割ベアラのダウンリンク伝送レートを制御するために使用されること、又は
アップリンク上で、前記第２ＵＥ−ＡＭＢＲが、前記二次基地局によって、該二次基地局と前記ＵＥとの間にある、前記二次基地局にアンカーされた前記分割ベアラのアップリンク伝送レートを制御するために使用されること
を有する、
請求項５に記載の方法。
【請求項８】
前記二次基地局の前記ベアラタイプが、二次セルグループベアラと、前記二次基地局にアンカーされた分割ベアラとを有する場合に、
前記第２ＵＥ−ＡＭＢＲが、前記二次基地局によって、該二次基地局の前記ベアラタイプに基づいて端末伝送レートを制御するために使用されることは、
ダウンリンク上で、前記第２ＵＥ−ＡＭＢＲが、前記二次基地局によって、該二次基地局とＵＥとの間にある、前記二次セルグループベアラ及び前記二次基地局にアンカーされた前記分割ベアラのダウンリンク伝送レートを制御し、且つ、前記マスタ基地局と前記ＵＥとの間にある、前記二次基地局にアンカーされた前記分割ベアラのダウンリンク伝送レートを制御するために使用されること、又は
アップリンク上で、前記第２ＵＥ−ＡＭＢＲが、前記二次基地局によって、該二次基地局と前記ＵＥとの間にある、前記二次セルグループベアラ及び前記二次基地局にアンカーされた前記分割ベアラのアップリンク伝送レートを制御するために使用されること
を有する、
請求項５に記載の方法。
【請求項９】
マスタ基地局から第２ユーザ装置集約最大ビットレート（ＵＥ−ＡＭＢＲ）及び二次基地局のベアラタイプを受信するよう構成される受信ユニットであり、前記第２ＵＥ−ＡＭＢＲは、コアネットワークから受信されたＵＥ−ＡＭＢＲに従って決定される、前記受信ユニットと、
前記第２ＵＥ−ＡＭＢＲ及び前記二次基地局の前記ベアラタイプに基づいて端末伝送レートを制御するよう構成される制御ユニットと
を有する通信装置。
【請求項１０】
前記二次基地局の前記ベアラタイプが二次セルグループベアラのみを有する場合に、
前記制御ユニットは、前記第２ＵＥ−ＡＭＢＲに基づいて前記二次基地局とＵＥとの間の伝送レートを制御するよう特に構成される、
請求項９に記載の通信装置。
【請求項１１】
前記二次基地局の前記ベアラタイプが、前記二次基地局にアンカーされた分割ベアラのみを有する場合に、
前記制御ユニットは、
ダウンリンク上で、前記第２ＵＥ−ＡＭＢＲに基づいて、前記二次基地局とＵＥとの間にある、前記二次基地局にアンカーされた前記分割ベアラのダウンリンク伝送レートを制御し、且つ、前記マスタ基地局と前記ＵＥとの間にある、前記二次基地局にアンカーされた前記分割ベアラのダウンリンク伝送レートを制御するよう、あるいは、
アップリンク上で、前記第２ＵＥ−ＡＭＢＲに基づいて、前記二次基地局と前記ＵＥとの間にある、前記二次基地局にアンカーされた前記分割ベアラのアップリンク伝送レートを制御するよう
構成される、
請求項９に記載の通信装置。
【請求項１２】
前記二次基地局の前記ベアラタイプが、二次セルグループベアラと、前記二次基地局にアンカーされた分割ベアラとを有する場合に、
前記制御ユニットは、
ダウンリンク上で、前記第２ＵＥ−ＡＭＢＲに基づいて、前記二次基地局とＵＥとの間にある、前記二次セルグループベアラ及び前記二次基地局にアンカーされた前記分割ベアラのダウンリンク伝送レートを制御し、且つ、前記マスタ基地局と前記ＵＥとの間にある、前記二次基地局にアンカーされた前記分割ベアラのダウンリンク伝送レートを制御するよう、あるいは、
アップリンク上で、前記第２ＵＥ−ＡＭＢＲに基づいて、前記二次基地局と前記ＵＥとの間にある、前記二次セルグループベアラ及び前記二次基地局にアンカーされた前記分割ベアラのアップリンク伝送レートを制御するよう
構成される、
請求項９に記載の通信装置。
【請求項１３】
ユーザ装置集約最大ビットレート（ＵＥ−ＡＭＢＲ）を取得するよう構成される取得ユニットと、
二次基地局のベアラタイプを決定し、前記ＵＥ−ＡＭＢＲに基づいて、前記二次基地局のために使用される第２ＵＥ−ＡＭＢＲを決定するよう構成される決定ユニットであり、前記第２ＵＥ−ＡＭＢＲは、前記二次基地局によって、該二次基地局の前記ベアラタイプに基づいて端末伝送レートを制御するために使用される、前記決定ユニットと、
前記第２ＵＥ−ＡＭＢＲ及び前記二次基地局の前記ベアラタイプを前記二次基地局へ送信するよう構成される送信ユニットと
を有する通信装置。
【請求項１４】
前記二次基地局の前記ベアラタイプが二次セルグループベアラのみを有する場合に、
前記第２ＵＥ−ＡＭＢＲが、前記二次基地局によって、該二次基地局の前記ベアラタイプに基づいて端末伝送レートを制御するために使用されることは、
前記第２ＵＥ−ＡＭＢＲが、前記二次基地局によって、前記第２ＵＥ−ＡＭＢＲに基づいて前記二次基地局とＵＥとの間の伝送レートを制御するために使用されることを有する、
請求項１３に記載の通信装置。
【請求項１５】
前記二次基地局の前記ベアラタイプが前記二次基地局にアンカーされた分割ベアラのみを有する場合に、
前記第２ＵＥ−ＡＭＢＲが、前記二次基地局によって、該二次基地局の前記ベアラタイプに基づいて端末伝送レートを制御するために使用されることは、
ダウンリンク上で、前記第２ＵＥ−ＡＭＢＲが、前記二次基地局によって、該二次基地局とＵＥとの間にある、前記二次基地局にアンカーされた前記分割ベアラのダウンリンク伝送レートを制御し、且つ、マスタ基地局と前記ＵＥとの間にある、前記二次基地局にアンカーされた前記分割ベアラのダウンリンク伝送レートを制御するために使用されること、又は
アップリンク上で、前記第２ＵＥ−ＡＭＢＲが、前記二次基地局によって、該二次基地局と前記ＵＥとの間にある、前記二次基地局にアンカーされた前記分割ベアラのアップリンク伝送レートを制御するために使用されること
を有する、
請求項１３に記載の通信装置。
【請求項１６】
前記二次基地局の前記ベアラタイプが、二次セルグループベアラと、前記二次基地局にアンカーされた分割ベアラとを有する場合に、
前記第２ＵＥ−ＡＭＢＲが、前記二次基地局によって、該二次基地局の前記ベアラタイプに基づいて端末伝送レートを制御するために使用されることは、
ダウンリンク上で、前記第２ＵＥ−ＡＭＢＲが、前記二次基地局によって、該二次基地局とＵＥとの間にある、前記二次セルグループベアラ及び前記二次基地局にアンカーされた前記分割ベアラのダウンリンク伝送レートを制御し、且つ、マスタ基地局と前記ＵＥとの間にある、前記二次基地局にアンカーされた前記分割ベアラのダウンリンク伝送レートを制御するために使用されること、又は
アップリンク上で、前記第２ＵＥ−ＡＭＢＲが、前記二次基地局によって、該二次基地局と前記ＵＥとの間にある、前記二次セルグループベアラ及び前記二次基地局にアンカーされた前記分割ベアラのアップリンク伝送レートを制御するために使用されること
を有する、
請求項１３に記載の通信装置。
【請求項１７】
プロセッサ及びメモリを有する通信装置であって、
前記メモリは、命令を記憶するよう構成され、前記プロセッサは、前記メモリに記憶されている前記命令を実行するよう構成され、
前記プロセッサが前記メモリに記憶されている前記命令を実行する場合に、基地局が、請求項１乃至４のうちいずれか一項に記載の方法を実装するよう構成される、
通信装置。
【請求項１８】
プロセッサ及びメモリを有する通信装置であって、
前記メモリは、命令を記憶するよう構成され、前記プロセッサは、前記メモリに記憶されている前記命令を実行するよう構成され、
前記プロセッサが前記メモリに記憶されている前記命令を実行する場合に、基地局が、請求項５乃至８のうちいずれか一項に記載の方法を実装するよう構成される、
通信装置。
【請求項１９】
マスタ基地局及び二次基地局を有し、
前記マスタ基地局は、請求項５乃至８のうちいずれか一項に記載の方法を実行するよう構成され、
前記二次基地局は、請求項１乃至４のうちいずれか一項に記載の方法を実行するよう構成される、
通信システム。
【請求項２０】
プロセッサによって実行される場合に、該プロセッサに、請求項１乃至８のうちいずれか一項に記載の方法を実施させるプログラム。
【手続補正２】
【補正対象書類名】明細書
【補正対象項目名】００１８
【補正方法】変更
【補正の内容】
【００１８】
任意に、当該方法は、
前記マスタ基地局によって、調整された第２ＵＥ−ＡＭＢＲを前記二次基地局から受信することと、
前記マスタ基地局によって、前記調整された第２ＵＥ−ＡＭＢＲに基づいて前記第１ＵＥ−ＡＭＢＲを調整することとと、
前記マスタ基地局によって、調整された第１ＵＥ−ＡＭＢＲに基づいて前記マスタ基地局とユーザ装置（ＵＥ）との間の伝送レートを制御することと
を更に含む。
【手続補正３】
【補正対象書類名】明細書
【補正対象項目名】００１９
【補正方法】変更
【補正の内容】
【００１９】
この解決法では、マスタ基地局によって送信された第２ＵＥ−ＡＭＢＲを受信した後に、二次基地局は、二次基地局のネットワーク資源ステータス情報に基づいて、受信された第２ＵＥ−ＡＭＢＲが調整される必要があるかどうかを判定し、受信された第２ＵＥ−ＡＭＢＲが調整される必要がある場合には、第２ＵＥ−ＡＭＢＲを調整し、調整された第２ＵＥ−ＡＭＢＲをマスタ基地局へ送信してよい。マスタ基地局は、調整された第１ＵＥ−ＡＭＢＲに基づいて、マスタ基地局とユーザ装置（ＵＥ）との間の伝送レートを制御する。ネットワーク資源ステータス情報は、例えば、エアインターフェイス信号品質及び／又は負荷ステータス、あるいは、他の情報を含んでよい。
【手続補正４】
【補正対象書類名】明細書
【補正対象項目名】００２８
【補正方法】変更
【補正の内容】
【００２８】
本願の第２の態様は、伝送レート制御方法であって、
二次基地局によってマスタ基地局から、前記二次基地局のために使用される第２ユーザ装置集約最大ビットレート（ＵＥ−ＡＭＢＲ）を受信し、該第２ＵＥ−ＡＭＢＲはＵＥ−ＡＭＢＲに基づいて取得される、ことと、
前記二次基地局によって、指示情報を前記マスタ基地局から受信し、該指示情報は、前記二次基地局に前記マスタ基地局のためのデータ分割を制御するように指示するために使用される、ことと
を含む方法を提供する。
【手続補正５】
【補正対象書類名】明細書
【補正対象項目名】００３９
【補正方法】変更
【補正の内容】
【００３９】
この解決法では、マスタ基地局によって送信された第２ＵＥ−ＡＭＢＲを受信した後に、二次基地局は、二次基地局のネットワーク資源ステータス情報に基づいて、受信された第２ＵＥ−ＡＭＢＲが調整される必要があるかどうかを判定し、受信された第２ＵＥ−ＡＭＢＲが調整される必要がある場合には、第２ＵＥ−ＡＭＢＲを調整し、調整された第２ＵＥ−ＡＭＢＲをマスタ基地局へ送信してよい。マスタ基地局は、調整された第１ＵＥ−ＡＭＢＲに基づいて、マスタ基地局とユーザ装置（ＵＥ）との間の伝送レートを制御する。ネットワーク資源ステータス情報は、例えば、エアインターフェイス信号品質及び／又は負荷ステータス、あるいは、他の情報を含んでよい。
【手続補正６】
【補正対象書類名】明細書
【補正対象項目名】００４０
【補正方法】変更
【補正の内容】
【００４０】
本願の第３の態様は、伝送レート制御方法であって、
二次基地局によってマスタ基地局から、ユーザ装置集約最大ビットレート（ＵＥ−ＡＭＢＲ）を受信することと、
前記二次基地局によって前記ＵＥ−ＡＭＢＲに基づいて、前記マスタ基地局のために使用される第１ＵＥ−ＡＭＢＲと、前記二次基地局のために使用される第２ＵＥ−ＡＭＢＲとを決定することと、
前記二次基地局によって、前記第１ＵＥ−ＡＭＢＲ及び／又は前記第２ＵＥ−ＡＭＢＲを前記マスタ基地局へ送信することと
を含む方法を提供する。
【手続補正７】
【補正対象書類名】明細書
【補正対象項目名】００４４
【補正方法】変更
【補正の内容】
【００４４】
任意に、当該方法は、
前記二次基地局によって、前記マスタ基地局によって送信される参照情報を受信することを更に含み、該参照情報は、
ユーザ装置（ＵＥ）によってサポートされる全ての無保証ビットレート（ｎｏｎ−ＧＢＲ）サービスに関する情報、又は
マスタセルグループベアラに対応するｎｏｎ−ＧＢＲサービスに関する情報
を含み、
前記二次基地局によって前記ＵＥ−ＡＭＢＲに基づいて、前記マスタ基地局のために使用される第１ＵＥ−ＡＭＢＲと、前記二次基地局のために使用される第２ＵＥ−ＡＭＢＲとを決定することは、
前記二次基地局によって、前記参照情報及び前記ＵＥ−ＡＭＢＲに基づいて前記第１ＵＥ−ＡＭＢＲ及び前記第２ＵＥ−ＡＭＢＲを決定することを含む。
【手続補正８】
【補正対象書類名】明細書
【補正対象項目名】００４５
【補正方法】変更
【補正の内容】
【００４５】
任意に、前記ｎｏｎ−ＧＢＲサービスに関する前記情報は、次の組み合わせ：
ｎｏｎ−ＧＢＲサービスの量、又は
前記ｎｏｎ−ＧＢＲサービスに対応するクオリティ・オブ・サービスクラス識別子（ＱＣＩ）、又は
前記ｎｏｎ−ＧＢＲサービスに対応する無線アクセスベアラ識別子、又は
前記ｎｏｎ−ＧＢＲサービスに対応する割り当て／維持優先度（ＡＲＰ）
のうちの少なくとも１つを含む。
【手続補正９】
【補正対象書類名】明細書
【補正対象項目名】００４７
【補正方法】変更
【補正の内容】
【００４７】
本願の第４の態様は、伝送レート制御方法であって、
マスタ基地局によって、ユーザ装置集約最大ビットレート（ＵＥ−ＡＭＢＲ）を二次基地局へ送信することと、
前記マスタ基地局によって、第１ＵＥ−ＡＭＢＲ及び／又は第２ＵＥ−ＡＭＢＲを前記二次基地局から受信し、前記第１ＵＥ−ＡＭＢＲ及び前記第２ＵＥ−ＡＭＢＲは前記ＵＥ−ＡＭＢＲに基づいて取得される、ことと
を含む方法を提供する。
【手続補正１０】
【補正対象書類名】明細書
【補正対象項目名】００５１
【補正方法】変更
【補正の内容】
【００５１】
任意に、当該方法は、
前記マスタ基地局によって、参照情報を前記二次基地局へ送信することを更に含み、前記参照情報は、
ユーザ装置（ＵＥ）によってサポートされる全ての無保証ビットレート（ｎｏｎ−ＧＢＲ）サービスに関する情報、又は
マスタセルグループベアラに対応するｎｏｎ−ＧＢＲサービスに関する情報
を含む。
【手続補正１１】
【補正対象書類名】明細書
【補正対象項目名】００５２
【補正方法】変更
【補正の内容】
【００５２】
任意に、前記ｎｏｎ−ＧＢＲサービスに関する前記情報は、次の組み合わせ：
ｎｏｎ−ＧＢＲサービスの量、又は
前記ｎｏｎ−ＧＢＲサービスに対応するクオリティ・オブ・サービスクラス識別子（ＱＣＩ）、又は
前記ｎｏｎ−ＧＢＲサービスに対応する無線アクセスベアラ識別子、又は
前記ｎｏｎ−ＧＢＲサービスに対応する割り当て／維持優先度（ＡＲＰ）
のうちの少なくとも１つを含む。
【手続補正１２】
【補正対象書類名】明細書
【補正対象項目名】００５４
【補正方法】変更
【補正の内容】
【００５４】
本願の第５の態様は、伝送レート制御方法であって、
マスタ基地局によって、ユーザ装置集約最大ビットレート（ＵＥ−ＡＭＢＲ）を取得することと、
前記マスタ基地局によって、二次基地局のベアラタイプを決定し、前記ＵＥ−ＡＭＢＲに基づいて、前記二次基地局のために使用される第２ＵＥ−ＡＭＢＲを決定し、該第２ＵＥ−ＡＭＢＲは、前記二次基地局によって、該二次基地局の前記ベアラタイプに基づいて端末伝送レートを制御するために使用される、ことと、
前記マスタ基地局によって、前記第２ＵＥ−ＡＭＢＲ及び前記二次基地局の前記ベアラタイプを前記二次基地局へ送信することと
を含む方法を提供する。
【手続補正１３】
【補正対象書類名】明細書
【補正対象項目名】００５７
【補正方法】変更
【補正の内容】
【００５７】
任意に、前記二次基地局の前記ベアラタイプが前記二次基地局にアンカーされた分割ベアラ（SCG  split  bearer）のみを含む場合に、
前記第２ＵＥ−ＡＭＢＲが、前記二次基地局によって、該二次基地局の前記ベアラタイプに基づいて端末伝送レートを制御するために使用されることは、
ダウンリンク上で、前記第２ＵＥ−ＡＭＢＲに基づいて、前記二次基地局が、該二次基地局とＵＥとの間にある、前記二次基地局にアンカーされた前記分割ベアラのダウンリンク伝送レートを制御し、且つ、前記マスタ基地局と前記ＵＥとの間にある、前記二次基地局にアンカーされた前記分割ベアラのダウンリンク伝送レートを制御すること、又は
アップリンク上で、前記二次基地局がアップリンク分割データを送信するよう構成されるときに、前記二次基地局が、前記第２ＵＥ−ＡＭＢＲに基づいて、前記二次基地局と前記ＵＥとの間にある、前記二次基地局にアンカーされた前記分割ベアラのアップリンク伝送レートを制御すること
を含む。
【手続補正１４】
【補正対象書類名】明細書
【補正対象項目名】０１６３
【補正方法】変更
【補正の内容】
【０１６３】
ステップ４０６′：マスタ基地局は、調整された第１ＵＥ−ＡＭＢＲを二次基地局から受信し、マスタ基地局は、調整された第１ＵＥ−ＡＭＢＲに基づいてマスタ基地局とＵＥとの間の伝送レートを制御する。
【手続補正１５】
【補正対象書類名】明細書
【補正対象項目名】０１８７
【補正方法】変更
【補正の内容】
【０１８７】
具体的に、ｎｏｎ−ＧＢＲサービスに関する情報は、次のパラメータ：ｎｏｎ−ＧＢＲサービスの量、ｎｏｎ−ＧＢＲサービスに対応するクオリティ・オブ・サービスクラス識別子（ＱＣＩ）、ｎｏｎ−ＧＢＲサービスに対応する無線アクセスベアラ識別子、又はｎｏｎ−ＧＢＲサービスに対応する割り当て／維持優先度（ＡＲＰ）、のうちの少なくとも１つを含んでよい。ｎｏｎ−ＧＢＲサービスに関する情報は、マスタ基地局で個別に負担されるｎｏｎ−ＧＢＲサービスを二次基地局に知らしめることができる他のパラメータであってもよい。
【手続補正１６】
【補正対象書類名】明細書
【補正対象項目名】０１８８
【補正方法】変更
【補正の内容】
【０１８８】
具体的に、参照情報において、ＵＥの全てのｎｏｎ−ＧＢＲサービスは、マスタ基地局で個別に負担される全てのｎｏｎ−ＧＢＲサービスであり、マスタ基地局で負担されるｎｏｎ−ＧＢＲサービスに対応するＱＣＩは、マスタ基地局で個別に負担されるｎｏｎ−ＧＢＲサービスに対応するＱＣＩである。マスタ基地局は、参照情報を二次基地局へ送信し、二次基地局は、参照情報に基づいて、マスタ基地局で個別に負担されるｎｏｎ−ＧＢＲサービスに関する情報を知り得る。この場合に、二次基地局は、参照情報及びＵＥ−ＡＭＢＲに基づいて第１ＵＥ−ＡＭＢＲ及び第２ＵＥ−ＡＭＢＲを決定する。例えば、なお図１を参照して、基地局０がマスタ基地局であり、基地局１が二次基地局である場合に、基地局１での２つのｎｏｎ−ＧＢＲサービスが基地局０のために分割される必要があり、基地局１が、基地局０によって送信された参照情報に基づいて、２つのｎｏｎ−ＧＢＲサービスが基地局０で個別に負担されていることを知る場合に、基地局１は、基地局０及び基地局１で負担されているｎｏｎ−ＧＢＲサービスの数量に基づいて、ＵＥ−ＡＭＢＲを割り当てる。例えば、基地局０は、２つのｎｏｎ−ＧＢＲサービスを個別に負っており、基地局１での２つのｎｏｎ−ＧＢＲサービスから分割されたデータを負う必要がある。従って、基地局１でのｎｏｎ−ＧＢＲサービスのデータ量の方が小さいので、ＵＥ−ＡＭＢＲの６０％が第１ＵＥ−ＡＭＢＲとして決定される必要があり、ＵＥ−ＡＭＢＲの４０％が第２ＵＥ−ＡＭＢＲとして決定される、など。
【手続補正１７】
【補正対象書類名】明細書
【補正対象項目名】０１９６
【補正方法】変更
【補正の内容】
【０１９６】
この実施形態では、第２ＵＥ−ＡＭＢＲを決定した後に、マスタ基地局は、第２ＵＥ−ＡＭＢＲ及び二次基地局のベアラタイプを二次基地局へ送信する。第２ＵＥ−ＡＭＢＲは、アップリンク第２ＵＥ−ＡＭＢＲ及びダウンリンク第２ＵＥ−ＡＭＢＲを更に含む。第２ＵＥ−ＡＭＢＲを取得した後、二次基地局は、二次基地局のベアラタイプ及び第２ＵＥ−ＡＭＢＲに基づいて二次基地局とＵＥとの間の伝送レートを制御する。具体的に、二次基地局は、ＵＥに割り当てられる資源を制御することによって、二次基地局とＵＥとの間の伝送レートを制御して、二次基地局での全てのｎｏｎ−ＧＢＲサービスのレートの和が第２ＵＥ−ＡＭＢＲの限度を超えないことを確かにし得る。
【手続補正１８】
【補正対象書類名】明細書
【補正対象項目名】０２０８
【補正方法】変更
【補正の内容】
【０２０８】
図７は、本願に従う通信装置の実施形態１の略構造図である。装置は、マスタ基地局に位置してよい。図７を参照すると、装置は、取得ユニット７０１、決定ユニット７０２、及び送信ユニット７０３を含む。  
取得ユニット７０１は、ユーザ装置集約最大ビットレート（ＵＥ−ＡＭＢＲ）を取得する。  
決定ユニット７０２は、ＵＥ−ＡＭＢＲに基づいて、マスタ基地局のために使用される第１ＵＥ−ＡＭＢＲと、二次基地局のために使用される第２ＵＥ−ＡＭＢＲとを決定する。  
送信ユニット７０３は、第２ＵＥ−ＡＭＢＲを二次基地局へ送信する。  
送信ユニット７０３は、二次基地局に対して、二次基地局にマスタ基地局のためのデータ分割を制御するように指示するために使用される指示情報を更に送信する。
【手続補正１９】
【補正対象書類名】明細書
【補正対象項目名】０２１３
【補正方法】変更
【補正の内容】
【０２１３】
任意に、図７に示される実施形態に基づいて、装置は、受信ユニット、調整ユニット、及び第１制御ユニットを更に含む。  
受信ユニットは、調整された第２ＵＥ−ＡＭＢＲを二次基地局から受信するよう構成される。  
調整ユニットは、調整された第２ＵＥ−ＡＭＢＲに基づいて第１ＵＥ−ＡＭＢＲを調整するよう構成される。  
第１制御ユニットは、調整された第１ＵＥ−ＡＭＢＲに基づいてマスタ基地局とユーザ装置（ＵＥ）との間の伝送レートを調整するよう構成される。
【手続補正２０】
【補正対象書類名】明細書
【補正対象項目名】０２２１
【補正方法】変更
【補正の内容】
【０２２１】
図８は、本願の通信装置の実施形態２の略構造図である。装置は、二次基地局に位置してよい。図８を参照すると、装置は、第１受信ユニット８０１及び第２受信ユニット８０２を含む。  
第１受信ユニット８０１は、マスタ基地局から、二次基地局のために使用される第２ユーザ装置集約最大ビットレート（ＵＥ−ＡＭＢＲ）を受信するよう構成され、ここで、第２ＵＥ−ＡＭＢＲは、ＵＥ−ＡＭＢＲに基づいて取得される。  
第２受信ユニット８０２は、指示情報をマスタ基地局から受信するよう構成され、ここで、指示情報は、二次基地局にマスタ基地局のためのデータ分割を制御するように指示するために使用される。
【手続補正２１】
【補正対象書類名】明細書
【補正対象項目名】０２２２
【補正方法】変更
【補正の内容】
【０２２２】
任意に、図８に示される実施形態に基づいて、装置は制御ユニットを更に含む。  
二次基地局にアンカーされた分割ベアラ（SCG  split  bearer）のみがマスタ基地局に存在する場合に、指示情報は第３ＵＥ−ＡＭＢＲであり、第３ＵＥ−ＡＭＢＲは、マスタ基地局のために使用される第１ＵＥ−ＡＭＢＲに等しく、第１ＵＥ−ＡＭＢＲは、ＵＥ−ＡＭＢＲに基づいて取得され、
制御ユニットは、第３ＵＥ−ＡＭＢＲに基づいてマスタ基地局とユーザ装置（ＵＥ）との間のダウンリンク伝送レートを制御するよう構成され、
制御ユニットは、具体的に、
マスタ基地局とＵＥとの間にある、二次基地局にアンカーされた分割ベアラのダウンリンク伝送レートを制御するよう構成される。
【手続補正２２】
【補正対象書類名】明細書
【補正対象項目名】０２３０
【補正方法】変更
【補正の内容】
【０２３０】
図９は、本願に従う通信装置の実施形態３の略構造図である。装置は、二次基地局に位置してよい。図９を参照すると、装置は、受信ユニット９０１、決定ユニット９０２、及び送信ユニット９０３を含む。  
受信ユニット９０１は、ユーザ装置集約最大ビットレート（ＵＥ−ＡＭＢＲ）をマスタ基地局から受信するよう構成される。  
決定ユニット９０２は、ＵＥ−ＡＭＢＲに基づいて、マスタ基地局のために使用される第１ＵＥ−ＡＭＢＲと、二次基地局のために使用される第２ＵＥ−ＡＭＢＲとを決定するよう構成される。  
送信ユニット９０３は、第１ＵＥ−ＡＭＢＲ及び／又は第２ＵＥ−ＡＭＢＲをマスタ基地局へ送信するよう構成される。
【手続補正２３】
【補正対象書類名】明細書
【補正対象項目名】０２３１
【補正方法】変更
【補正の内容】
【０２３１】
任意に、受信ユニット９０１は、マスタ基地局によって送信される参照情報を受信するよう更に構成される。参照情報は、
ユーザ装置（ＵＥ）によってサポートされる全ての無保証ビットレート（ｎｏｎ−ＧＢＲ）サービスに関する情報、又は
マスタセルグループベアラに対応するｎｏｎ−ＧＢＲサービスに関する情報
を含む。  
決定ユニット９０２は、具体的に、参照情報及びＵＥ−ＡＭＢＲに基づいて第１ＵＥ−ＡＭＢＲ及び第２ＵＥ−ＡＭＢＲを決定するよう構成される。
【手続補正２４】
【補正対象書類名】明細書
【補正対象項目名】０２３２
【補正方法】変更
【補正の内容】
【０２３２】
任意に、ｎｏｎ−ＧＢＲサービスに関する情報は、次の組み合わせ：
ｎｏｎ−ＧＢＲサービスの量、又は
ｎｏｎ−ＧＢＲサービスに対応するクオリティ・オブ・サービスクラス識別子（ＱＣＩ）、又は
ｎｏｎ−ＧＢＲサービスに対応する無線アクセスベアラ識別子、又は
ｎｏｎ−ＧＢＲサービスに対応する割り当て／維持優先度（ＡＲＰ）
のうちの少なくとも１つを含む。
【手続補正２５】
【補正対象書類名】明細書
【補正対象項目名】０２３６
【補正方法】変更
【補正の内容】
【０２３６】
図１０は、本願に従う通信装置の実施形態４の略構造図である。装置は、マスタ基地局に位置してよい。図１０を参照すると、装置は、送信ユニット１００１及び受信ユニット１００２を含む。  
送信ユニット１００１は、ユーザ装置集約最大ビットレート（ＵＥ−ＡＭＢＲ）を二次基地局へ送信するよう構成される。  
受信ユニット１００２は、第１ＵＥ−ＡＭＢＲ及び／又は第２ＵＥ−ＡＭＢＲを二次基地局から受信するよう構成され、ここで、第１ＵＥ−ＡＭＢＲ及び第２ＵＥ−ＡＭＢＲは、ＵＥ−ＡＭＢＲに基づいて取得される。
【手続補正２６】
【補正対象書類名】明細書
【補正対象項目名】０２３７
【補正方法】変更
【補正の内容】
【０２３７】
任意に、送信ユニット１００１は、参照情報を二次基地局へ送信するよう更に構成される。参照情報は、
ユーザ装置（ＵＥ）によってサポートされる全ての無保証ビットレート（ｎｏｎ−ＧＢＲ）サービスに関する情報、又は
マスタセルグループベアラに対応するｎｏｎ−ＧＢＲサービスに関する情報
を含む。
【手続補正２７】
【補正対象書類名】明細書
【補正対象項目名】０２３８
【補正方法】変更
【補正の内容】
【０２３８】
任意に、ｎｏｎ−ＧＢＲサービスに関する情報は、次の組み合わせ：
ｎｏｎ−ＧＢＲサービスの量、又は
ｎｏｎ−ＧＢＲサービスに対応するクオリティ・オブ・サービスクラス識別子（ＱＣＩ）、又は
ｎｏｎ−ＧＢＲサービスに対応する無線アクセスベアラ識別子、又は
ｎｏｎ−ＧＢＲサービスに対応する割り当て／維持優先度（ＡＲＰ）
のうちの少なくとも１つを含む。
【手続補正２８】
【補正対象書類名】明細書
【補正対象項目名】０２４２
【補正方法】変更
【補正の内容】
【０２４２】
図１１は、本願に従う通信装置の実施形態５の略構造図である。装置は、マスタ基地局に位置してよい。図１１を参照すると、装置は、取得ユニット１１０１、決定ユニット１１０２、及び送信ユニット１１０３を含む。  
取得ユニット１１０１は、ユーザ装置集約最大ビットレート（ＵＥ−ＡＭＢＲ）を取得する。  
決定ユニット１１０２は、二次基地局のベアラタイプを決定し、ＵＥ−ＡＭＢＲに基づいて、二次基地局のために使用される第２ＵＥ−ＡＭＢＲを決定し、ここで、第２ＵＥ−ＡＭＢＲは、二次基地局によって、二次基地局のベアラタイプに基づいて端末伝送レートを制御するために使用される。  
送信ユニット１１０３は、第２ＵＥ−ＡＭＢＲ及び二次基地局のベアラタイプを二次基地局へ送信する。